(57)【特許請求の範囲】
【請求項１】
ボウル部の上縁部にリムを設け、このリムと連続して上蓋で開閉される上面開口部をボウル部の後部に設け、上面開口部の下方にノズル収納部を設け、ノズル収納部の内部に、人体の局部に向けて噴流水を噴出する局部洗浄ノズルを収納すると共に、ノズル収納部の前端下部に局部洗浄ノズルの先端部を出退自在とするノズル出退口を設け、局部洗浄ノズルを水平乃至前下がり姿勢でノズル収納部に着脱可能に固定する固定手段を備えた便器装置であって、前記固定手段による局部洗浄ノズルの固定を解除した状態で、局部洗浄ノズルの後端部が前記ノズル収納部から取り外し可能な姿勢となるまで局部洗浄ノズルの先端部の下方側への回動を許容する回動許容空間部を設けたことを特徴とする便器装置。
【請求項２】
ボウル部の後部の前記リムの下方で且つ前記ノズル出退口よりも後方に後退した位置に、ボウル部の内方に開放されたリム下通水路が形成されていることを特徴とする請求項1記載の便器装置。
【請求項３】
前記リム下通水路の前方でノズル出退口との間に、前記リムから突出してリム下通水路の上部開放端よりも下方に垂下する垂下片を設けたことを特徴とする請求項２記載の便器装置。
【発明の詳細な説明】
【技術分野】
【０００１】
本発明は、便器装置に関し、詳しくはボウル部の後方上部に局部洗浄装置が一体に組み込まれた便器装置に関するものである。
【背景技術】
【０００２】
従来より、ボウル部の後方上部に便器本体と一体の局部洗浄装置を設置した温水洗浄一体式便器が知られている（例えば、特許文献１参照）。
【０００３】
前記特許文献１等に見られる従来例では、例えば図９に示すように、ボウル部５の上縁部に設けられるリム６のうち、ボウル部５の後部に位置するリム部６ａと連続して上方に立ち上がる立上り部７を設け、立上り部７の上部に連続して上蓋８で開閉される上面開口部９を設け、立上り部７の下部がノズル収納部１０となっており、ノズル収納部１０の内部に、人体の局部に向けて噴流水を噴出する局部洗浄ノズル４を収納すると共に、ノズル収納部１０の前端下部に局部洗浄ノズル４の先端部４ａを出退自在とするノズル出退口１１を設け、局部洗浄ノズル４を前下がり姿勢で機器取付用ベース１２に対して着脱可能に固定するようにしている。
【０００４】
従来では、局部洗浄ノズル４のメンテナンスや交換を行なう場合は、局部洗浄ノズル４のみを単独で取り外すことができなかった。つまり、局部洗浄ノズル４の先端部４ａの下部には、機器取付用ベース１２の前端部１２ａが接近しており、その下にはボウル部５のリム部６ａが接近している。このリム部６ａの下方は便器洗浄水が旋回するリム下通水路１５ａとなっているため局部洗浄ノズル４の先端部４ａの下部付近は限られた狭い空間スペースとなっている。一方、局部洗浄ノズル４の先端部４ａから中央部分にかけてその上部付近はノズル収納部１０が接近しているため、局部洗浄ノズル４は上下前後左右の動きが制約された取り付け構造となっており、そのため従来では局部洗浄ノズル４のメンテナンスを行なう場合は、便器本体２の片方の側面板１９（図８）を取り外し、そこから内部に手をいれて支持フレーム２０上に固定されている機器取付用ベース１２を取り外し、局部洗浄装置３を機器取付用ベース１２ごと外部に取り出す必要があった。このような便器の分解を必要とすることから局部洗浄ノズル４の着脱作業がきわめて面倒であり、特に狭いトイレ空間での着脱作業は困難を伴うものであった。
【特許文献１】特開２００７−１９１９０１号公報
【発明の開示】
【発明が解決しようとする課題】
【０００５】
本発明は前記の従来の問題点に鑑みて発明したものであって、その課題とするところは、固定が解除された局部洗浄ノズルの回動を許容することにより、局部洗浄ノズルの着脱作業を狭いトイレ空間でも容易に行なえるようにした便器装置を提供することにあり、さらにリム下通水路から局部洗浄ノズル側への便器洗浄水の飛散や浸入を容易に防止できる便器装置を提供することにある。
【課題を解決するための手段】
【０００６】
前記の課題を解決するために、本発明は、以下の構成を特徴としている。
【０００７】
ボウル部５の上縁部にリム６を設け、このリム６と連続して上蓋８で開閉される上面開口部９をボウル部５の後部に設け、上面開口部9の下方にノズル収納部１０を設け、ノズル収納部１０の内部に、人体の局部に向けて噴流水を噴出する局部洗浄ノズル４を収納すると共に、ノズル収納部１０の前端下部に局部洗浄ノズル４の先端部４ａを出退自在とするノズル出退口１１を設け、局部洗浄ノズル４を水平乃至前下がり姿勢でノズル収納部１０に着脱可能に固定する固定手段３２を備えた便器装置１である。前記固定手段３２による局部洗浄ノズル４の固定を解除した状態で、局部洗浄ノズル４の後端部４ｂがノズル収納部１０から取り外し可能な姿勢となるまで局部洗浄ノズル４の先端部４ａの下方Ａ側への回動を許容する回動許容空間部１３が設けられている。
【０００８】
このような構成とすることで、局部洗浄ノズル４のメンテナンスや交換の際には、上蓋８を開いて固定手段３２による局部洗浄ノズル４の固定を解除してから局部洗浄ノズル４の後端部４ｂを手で持ち上げる。このとき、回動許容空間部１３の存在によって局部洗浄ノズル４の先端部４ａが下方Ａ側に押し下げられ、これに伴い局部洗浄ノズル４の後端部４ｂをノズル収納部１０から取り外し可能な姿勢となるまで回動させることが可能となり、これにより、局部洗浄ノズル４を単独で上面開口部９から取り出すことができる。
【０００９】
また、ボウル部の後部の前記リム６の下方で且つ前記ノズル出退口１１よりも後方に後退した位置にボウル部５の内方に開放されたリム下通水路１５ａが形成されているのが好ましく、この場合、リム下通水路１５ａをノズル出退口１１よりも後方に後退させることで便器洗浄水が局部洗浄ノズル４側に飛散したり局部洗浄装置３内部に浸入するのを防止できるようになる。
【００１０】
さらに、前記リム下通水路の前方でリム下通水路とノズル出退口との間に、前記ボウル部の後部のリムから突出してリム下通水路の上部開放端よりも下方に垂下する垂下片を設けるのが好ましく、この場合、垂下片によって水返し効果が得られ、便器洗浄水の局部洗浄ノズル４側への飛散や浸入をより確実に防止できるようになる。
【発明の効果】
【００１１】
請求項１の発明では、固定が解除された局部洗浄ノズルの回動を許容する回動許容空間部を設けたことにより、従来のように温水洗浄一体式便器を分解することなく、局部洗浄ノズルの着脱作業を狭いトイレ空間でもスムーズに行なうことができ、メンテナンスや交換作業がきわめて容易なものとなる。
【００１２】
請求項２の発明では、リム下通水路をノズル出退口よりも後方に後退させたことにより、リム下通水路内の便器洗浄水が局部洗浄ノズル側に飛散したり局部洗浄装置内部に浸入して機器類に悪影響を及ぼすのを防止できるものである。
【００１３】
請求項３の発明では、リムから垂下片を突設させたことにより、リム下通水路内の便器洗浄水の飛散をより確実に防止できるものである。
【発明を実施するための最良の形態】
【００１４】
以下、本発明を添付図面に示す実施形態に基いて説明する。
【００１５】
図１は本実施形態の便器装置１の一例を示している。本例の便器装置１は例えば図８に示す樹脂成形品からなる温水洗浄一体式の便器本体２と、便座１６と、便蓋１７とで構成される。
【００１６】
便器本体２の外郭は、スカート１８と、スカート１８の上面に配置されるリム６と、両側面板１９と、背面板３６と、ノズル収納部１０を備える立上り部７と、上面開口部９を開閉する上蓋８とが一体に構成されている。
【００１７】
便器本体２は、封水を貯溜するボウル部５の下部に排水トラップ（図示せず）が配置され、ボウル部５の後方上部に、図１に示す局部洗浄装置３と、これを支持する支持フレーム２０とが配置されている。なお、支持フレーム２０は局部洗浄装置３の支持だけでなくスカート１８等の外郭部品の支持も兼ねるのが望ましい。
【００１８】
前記外郭を構成するリム６は、ボウル部５の上縁部全周に亘って設けられており、リム６の上面は便座載置面となっている。
【００１９】
ボウル部５の上縁部全周に設けられるリム６のうち、ボウル部５の後部に位置するリム部６ａからは、図１に示すように、リム部６ａと連続して上方に立ち上がる立上り部７が設けられており、立上り部７の上部に連続して上蓋８で開閉される上面開口部９がボウル部５の後部に設けられている。立上り部７の下部はノズル収納部１０となっている。ノズル収納部１０の内部には、人体の局部に向けて噴流水を噴出するための伸張・収縮自在な局部洗浄ノズル４が収納されていると共に、ノズル収納部１０の前端下部には、局部洗浄ノズル４の先端部４ａを出退自在とするノズル出退口１１が開口している。
【００２０】
本例の局部洗浄ノズル４は、図６、図７に示すように、おしり洗浄ノズル４Ａと、ビデ洗浄ノズル４Ｂと、これらノズル４Ａ,４Ｂの先端側に向けて洗浄水を噴射させる飛散防止板３０付きノズル洗浄用管路体４Ｃとを一体化したノズルユニットで構成されている。なおこのノズルユニットの構造は、例えば特開２００２−２１３００４号公報等の公知の技術を採用することができる。
【００２１】
局部洗浄装置３の底面側には、図４、図５に示すような、一枚の機器取付用ベース１２が設置されている。機器取付用ベース１２は前記支持フレーム２０により支持されている。ここでは機器取付用ベース１２の前部中央寄りが局部洗浄ノズル４の取り付け部となっており、この部位に固定手段３２を構成するねじ具３２ａが螺着される一対のボス３２ｂと、局部洗浄ノズル４の後端部４ｂの後退移動を阻止する係止凸部３２ｃとが突設されている。なお機器取付用ベース１２の他の部位は局部洗浄用の湯水を生成して貯湯しておくための貯湯タンク、局部洗浄ノズル４への送水用ポンプ、温風供給用の温風ファン、水道水からの入水を制御する電磁弁等の機能部品（図示せず）の設置スペースとなっている。
【００２２】
ここで、本発明においては、図１に示すねじ具３２ａをボス３２ｂから取り外して機器取付用ベース１２に対する局部洗浄ノズル４の固定を解除した状態で、局部洗浄ノズル４の回動を許容する回動許容空間部１３を備えている。回動許容空間部１３は、局部洗浄ノズル４の後端部４ｂがノズル収納部１０の機器取付用ベース１２から取り外し可能な姿勢となるまで局部洗浄ノズル４の先端部４ａの下方Ａ側への回動を許容するためのものであり、本例では、前記リム部６ａの下方で且つ前記ノズル出退口１１よりも後方に後退した位置に、ボウル部５の内方に開放されたリム下通水路１５ａが形成されていると共に、リム下通水路１５ａの前方にはノズル出退口１１との間に、前記リム部６ａの前端縁６ｂから突出してリム下通水路１５ａの上部開放端１５ｂよりも下方に垂下する垂下片３５を突設させている。なお局部洗浄ノズル４の固定姿勢は前下がり姿勢に限らず、水平姿勢でもよい。
【００２３】
しかして、上記構成の局部洗浄ノズル４のメンテナンスや交換の際には、上蓋８を開いて上面開口部９から工具を入れて局部洗浄ノズル４のねじ具３２ａを機器取付用ベース１２のボス３２ｂから取り外してから、局部洗浄ノズル４の後端部４ｂを手で持ち上げる。このとき局部洗浄ノズル４の先端部４ａが回動許容空間部１３内に移動することによって図２に示す前下がり姿勢から図３の矢印Ｂ,Ｃ方向に回動させて、局部洗浄ノズル４の後端部４ｂを機器取付用ベース１２の係止凸部３２ｃから離脱させることができ、これによって、ノズル収納部１０内から局部洗浄ノズル４のみを単独で矢印Ｄで示す方向に向けて上面開口部９から取り出すことができる。従って、従来のように温水洗浄一体式便器を分解する必要がなくなるため、局部洗浄ノズル４の着脱作業を狭いトイレ空間でもスムーズに行なうことができ、メンテナンスや交換作業がきわめて容易なものとなる。
【００２４】
しかも本例では、前記ボウル部５の後部におけるリム部６ａの下方に、ボウル部5内方に開放されたリム下通水路１５ａが形成されている。このリム下通水路１５ａはボウル部５のリム６の前部から側部に至るリム下通水路１５と連通しており、給水噴出部（図示せず）から噴射される便器洗浄水がリム下通水路１５,１５ａを略一周しながら旋回流となってボウル部５全体を効率よく洗浄できるようになっている。またリム下通水路１５ａはノズル出退口１１よりも後方に後退して位置しており、回動許容空間部１３の形成が可能になっていると共に、リム下通水路１５ａ内を旋回する便器洗浄水が局部洗浄ノズル４側に飛散したり局部洗浄装置３内部に浸入して内部の機器に悪影響を及ぼしたりすることを効果的に防止できる。しかも本例ではリム下通水路１５ａの前方でノズル出退口１１との間に、前記リム部６ａの前端縁６ｂから突出してリム下通水路１５ａの上部開放端１５ｂよりも下方に垂下する垂下片３５を設けているので、垂下片３５が水返し部となる。この結果、ノズル出退口１１よりも後方に後退した位置にリム下通水路１５ａを形成し且つリム部６ａから垂下片３５を突設させるという簡易な構造で、局部洗浄ノズル４側への便器洗浄水の飛散や浸入をより確実に防止できる利点がある。
【図面の簡単な説明】
【００２５】
【図１】本発明の一実施形態の便器本体と一体化された局部洗浄装置を説明する側面断面図である。
【図２】同上の局部洗浄ノズルの固定状態を説明する側面断面図である。
【図３】同上の局部洗浄ノズルの先端部を回動許容空間部に押し下げて局部洗浄ノズルの後端部を機器取付用ベースから取り外し可能な姿勢となるまで回動させた状態を説明する側面断面図である。
【図４】同上の局部洗浄ノズルを取り付けた機器取付用ベース付近の概略平面図である。
【図５】同上の局部洗浄ノズルを取り外した機器取付用ベース付近の概略平面図である。
【図６】同上の局部洗浄ノズルの斜視図である。
【図７】同上の局部洗浄ノズルの内部構造の斜視図である。
【図８】温水洗浄一体式便器の一例を示す斜視図である。
【図９】従来の局部洗浄ノズルの固定状態を説明する側面断面図である。
【符号の説明】
【００２６】
１  局部洗浄装置
４  局部洗浄ノズル
４ａ  先端部
４ｂ  後端部
５  ボウル部
６ａ  リム部
６ｂ  前端縁
７  立上り部
８  上蓋
９  上面開口部
１０  ノズル収納部
１１  ノズル出退口
１２  機器取付用ベース
１３  回動許容空間部
１５ａ  リム下通水路
３５  垂下片
Ａ  下方
【図１】
0004858483.tif 000002
【図２】
0004858483.tif 000003
【図３】
0004858483.tif 000004
【図４】
0004858483.tif 000005
【図５】
0004858483.tif 000006
【図６】
0004858483.tif 000007
【図７】
0004858483.tif 000008
【図８】
0004858483.tif 000009
【図９】
0004858483.tif 000010